(57)【要約】  上面部２１と、側面部２２と、底面部２３と、側面部２２に形成された把持部３１と、を備え、把持部３１は、第一接続端部３２と、第二接続端部３３と、把持胴部３４と、中空部３５と、を有し、容器１１の中心軸Ａ１に最も近い第二接続端部３３の第一の端点３３ａを通る、中心軸Ａ１に直交する平面で切断された中空部３５の断面の面積は、把持胴部３４における中心軸Ａ１に直交する平面で切断された中空部３５の断面の面積よりも大きい、把手付き容器１１を提供する。
2018207844.tif 000002
【特許請求の範囲】
【請求項１】
所定量の流体が収容可能な容器であって、
液体の出入口部が形成された上面部と、
前記上面部に接続された側面部と、
前記上面部と反対側に配置されて前記側面部に接続された底面部と、
前記側面部に形成された中空で長尺状の把持部と、
を備え、
前記把持部は、
前記側面部と接続された第一接続端部と、
前記第一接続端部より前記底面部に対して近い位置で前記側面部と接続された第二接続端部と、
前記第一接続端部と前記第二接続端部との間に配置された把持胴部と、
前記容器の内部と連通する中空部と、
を有し、
前記出入口部を通る前記容器の中心軸に最も近い前記第二接続端部の第一の端点を通る前記中心軸に直交する平面で切断された前記中空部の断面の面積は、前記把持胴部における前記中心軸に直交する平面で切断された前記中空部の断面の面積よりも大きい、
把手付き容器。
【請求項２】
前記容器の前記液体の出入口部を通る中心軸と前記把持胴部とが重なるように前記容器を側面部側から見た時に、前記把持胴部は、前記第二接続端部から前記第一接続端部に向けて縮径している部位を含む、
請求項１に記載の把手付き容器。
【請求項３】
前記第一の端点を通る前記中心軸に直交する平面で切断された前記中空部の断面の面積は、前記中心軸に最も近い前記第一接続端部の第二の端点を通る前記中心軸に直交する平面で切断された前記中空部の断面の面積よりも大きい、
請求項１または請求項２に記載の把手付き容器。
【請求項４】
前記側面部は、前記第一接続端部および前記第二接続端部が接続された凹部を有し、
前記凹部を構成する各面のうち前記第一接続端部と接続された面は、前記容器の前記液体の出入口部を通る中心軸に近づくにつれて、前記底面部に近づくように傾斜している、
請求項１から請求項３のいずれか一項に記載の把手付き容器。
【請求項５】
前記凹部を構成する各面の少なくとも一部には、前記把持部の長手方向に沿った凸状リブ部が形成されている、
請求項４に記載の把手付き容器。
【請求項６】
前記把持胴部は湾曲している、
請求項１から請求項５のいずれか一項に記載の把手付き容器。
【発明の詳細な説明】
【技術分野】
【０００１】
本発明は、液体等の流体が充填される把手付き容器に関する。
【背景技術】
【０００２】
ウォーターサーバ等に使用される容器のうち、繰り返し洗浄して使用することが可能なリターナブル容器と呼ばれるものがある。例えば、特許文献１には、中空の把手が設けられた容器（高強度ボトル）が開示されている。
【先行技術文献】
【特許文献】
【０００３】
【特許文献１】日本国特表2014-519454号公報
【発明の概要】
【発明が解決しようとする課題】
【０００４】
一般にリターナブル容器は、洗浄の際に容器を反転させた状態で出入口部から底面部の中心に向けて洗浄水等を打ち付けて、ボトルの内壁面の各部位の洗浄を行う。
しかしながら、特許文献１に記載のように中空の把手が設けられた容器は、洗浄の際に中空の把手の一部に洗浄水やすすぎ水が届きにくい箇所が生じて、洗浄しにくい場合があった。【０００５】
本発明の目的は、把手の内部を洗浄しやすい把手付き容器を提供することにある。
【課題を解決するための手段】
【０００６】
上記課題を解決することのできる本発明の把手付き容器は、
所定量の流体が収容可能な容器であって、
液体の出入口部が形成された上面部と、
前記上面部に接続された側面部と、
前記上面部と反対側に配置されて前記側面部に接続された底面部と、
前記側面部に形成された中空で長尺状の把持部と、
を備え、
前記把持部は、
前記側面部と接続された第一接続端部と、
前記第一接続端部より前記底面部に対して近い位置で前記側面部と接続された第二接続端部と、
前記第一接続端部と前記第二接続端部との間に配置された把持胴部と、
前記容器の内部と連通する中空部と、
を有し、
前記出入口部を通る前記容器の中心軸に最も近い前記第二接続端部の第一の端点を通る前記中心軸に直交する平面で切断された前記中空部の断面の面積は、前記把持胴部における前記中心軸に直交する平面で切断された前記中空部の断面の面積よりも大きい。【０００７】
上記把手付き容器は、第一の端点を通る前記中心軸に直交する平面で切断された前記中空部の断面の面積が把持胴部における前記中心軸に直交する平面で切断された中空部の断面の面積よりも大きい。このため、洗浄の際に容器を反転させた状態で出入口部から底面部に向けて洗浄水等を打ち付けた場合において、底面部の内壁面を伝って落ちていく洗浄水やすすぎ水が把持部の内部への入口となる第二接続端部に向けて案内されて把持胴部の壁面で集積されやすくなる。このため、中空の把持部の内部において洗浄水やすすぎ水が届きにくい箇所が生じにくくなり、把手付き容器を洗浄しやすくなる。【０００８】
本発明の把手付き容器において、
前記容器の前記液体の出入口部を通る中心軸と前記把持胴部とが重なるように前記容器を側面部側から見た時に、前記把持胴部は、前記第二接続端部から前記第一接続端部に向けて縮径している部位を含むことが好ましい。【０００９】
上記構成によれば、洗浄の際、第二接続端部に向けて案内されて集積された洗浄水やすすぎ水が把持胴部の内壁面上において周囲の洗浄水やすすぎ水と合流しながら伝わり落ちやすくなる。このため、把持胴部の内壁面上を広く伝わりやすくなり、さらに把手付き容器を洗浄しやすくなる。また、把持部の持ちやすさも向上する。【００１０】
本発明の把手付き容器において、
前記第一の端点を通る前記中心軸に直交する平面で切断された前記中空部の断面の面積は、前記出入口部を通る前記容器の中心軸に最も近い前記第一接続端部の第二の端点を通る前記中心軸に直交する平面で切断された前記中空部の断面の面積よりも大きいことが好ましい。【００１１】
上記構成によれば、洗浄水やすすぎ水の出口である第一接続端部まで、把持胴部の内壁面上において圧力損失及び摩擦損失により周囲の洗浄水やすすぎ水と合流しながら伝わり落ちやすくなり、さらに把手付き容器を洗浄しやすくなる。【００１２】
本発明の把手付き容器において、
前記側面部は、前記第一接続端部および前記第二接続端部が接続された凹部を有し、
前記凹部を構成する各面のうち前記第一接続端部と接続された面は、前記容器の前記中心軸に近づくにつれて、前記底面部に近づくように傾斜していることが好ましい。【００１３】
上記構成によれば、洗浄の際、凹部の内壁面を伝って落ちていく洗浄水やすすぎ水が、凹部の上面部側の面に案内されて、洗浄水やすすぎ水が届きにくい箇所が生じにくくなり、把手付き容器を洗浄しやすくなる。【００１４】
本発明の把手付き容器において、
前記凹部を構成する各面の少なくとも一部には、前記把持部の長手方向に沿った凸状リブ部が形成されていることが好ましい。【００１５】
上記構成によれば、落下の際に容器にかかる衝撃への強度を向上させることができる。【００１６】
本発明の把手付き容器において、
前記把持胴部は湾曲していることが好ましい。【００１７】
上記構成によれば、洗浄の際、第二接続端部に向けて案内されて集積された洗浄水やすすぎ水が、さらに把持胴部の内壁面上において周囲の洗浄水やすすぎ水と合流して伝わり落ちやすくなる。このため、さらに把手付き容器を洗浄しやすくなる。また、把持部の持ちやすさもさらに向上する。
【発明の効果】
【００１８】
本発明によれば、把手の内部を洗浄しやすい把手付き容器を提供することができる。
【図面の簡単な説明】
【００１９】
【図１】第一の実施形態に係る把手付き容器を表す側面図である。
【図２】第一の実施形態に係る把手付き容器を表す側面図である。
【図３】第一の実施形態に係る把手付き容器の把持部の拡大図（ｂ）と、第一の端点を通る中心軸に直交する把持部のＤ１−Ｄ１断面（ｃ）及び第二の端点を通る中心軸に直交する把持部のＥ１−Ｅ１断面（ａ）とを示す図である。
【図４】第一の実施形態に係る把手付き容器のＣ１−Ｃ１断面を示す図である。
【図５】第二の実施形態に係る把手付き容器を表す側面図である。
【図６】第二の実施形態に係る把手付き容器を表す側面図である。
【図７】第二の実施形態に係る把手付き容器の把持部の拡大図（ｂ）と、第一の端点を通る中心軸に直交する把持部のＤ２−Ｄ２断面（ｃ）及び第二の端点を通る中心軸に直交する把持部のＥ２−Ｅ２断面（ａ）とを示す図である。
【図８】第二の実施形態に係る把手付き容器のＣ２−Ｃ２断面を示す図である。
【発明を実施するための形態】
【００２０】
（第一の実施形態）
以下、本発明に係る把手付き容器の実施の形態の例（第一の実施形態）を、図面を参照して説明する。
【００２１】
図１〜図４は本発明の第一の実施形態に係る把手付き容器１１を示す図である。図１及び図２に示すように、本実施形態において把手付き容器１１は、上面部２１と、上面部２１に接続された側面部２２と、上面部２１と反対側に配置されて側面部２２に接続された底面部２３と、側面部２２に形成された中空で長尺状の把持部３１と、を備えている。その内部には、所定量の液体（飲料水等）等の流体が収容可能とされている。
【００２２】
上面部２１は、把手付き容器１１の天面を形成するもので、その中心には、上方へ突出する筒状の出入口部２４が形成されている。把手付き容器１１の内部には、出入口部２４から流体が流入される。また、把手付き容器１１内の液体は、出入口部２４から流出される。出入口部２４には、キャップが取り付けられる。このキャップは出入口部２４に対して着脱可能とされており、出入口部２４にキャップを装着することで、把手付き容器１１が密閉される。
【００２３】
側面部２２は、把手付き容器１１の周面を形成するもので、上面部２１に接続されて下方側へ延在されている。底面部２３は、把手付き容器１１の底面を形成するもので、上面部２１と反対側に配置されて側面部２２に接続されている。底面部２３は、容器１１の中心軸Ａ１に向かうにつれて容器１１の上面部２１に徐々に向かう凹形状に形成された上底部２６を含んでいる。上底部２６はその中央部付近を除き、中心軸Ａ１を通る平面で切断した場合の断面形状において、略一定の曲率半径で湾曲するように形成されている。底面部２３は、容器１１を底面部２３を下にして水平面に設置した際に当該水平面に沿うように形成された周底部２７を含んでいる。上底部２６は周底部２７の内側に設けられている。上底部２６の中央部にはさらに上面部２１に向かって張り出した張出部２８が形成されている。容器１１を底面部２３を下にして水平面に設置した際の、当該水平面から上底部２６の中央までの高さｈ１（張出部２８が形成されずに、上底部２６が中央まで略一定の曲率半径で延在していると仮定した場合の、水平面から上底部２６の中央までの高さ）は、１０ｍｍ以上５０ｍｍ以下である。
【００２４】
容器１１は、図２に示すように把持部３１側から容器１１を見た時に、出入口部２４を通る容器１１の中心軸Ａ１に対して線対称になるように形成されている。本実施形態の説明において、出入口部２４を通る容器１１の中心軸Ａ１に対して容器１１が線対称になるように把持部３１側から容器１１を見た時（図２）を、単に「容器１１を正面から見た時」とする。また、本実施形態の説明において、容器１１を正面から見た時から容器１１を中心軸Ａ１に対して反時計回りに９０°回転させて容器１１を見た時（図１）を、単に「容器１１を左側から見た時」とする。
【００２５】
側面部２２には、容器１１の中心軸Ａ１に向かって凹んでいる凹部２５が形成されている。凹部２５は、上面部２１側の第一の面２５ａ、底面部２３側の第二の面２５ｂ並びに第一の面２５ａ及び第二の面２５ｂと連なる第三の面２５ｃにより形成される。容器１１を左側から見た時、凹部２５と把持部３１との間は貫通孔が形成されている。第一の面２５ａは容器１１の中心軸Ａ１に近づくにつれて、底面部２３に近づくように傾いている。第二の面２５ｂは容器１１の中心軸Ａ１に近づくにつれて、上面部２１に近づくように傾いている。
【００２６】
第三の面２５ｃの中央部分には、把持部３１の長手方向に沿った凸状リブ部（フィン）４１が形成されている。凹部２５および把持部３１より形成される貫通孔の外縁とそれら近辺の領域を、総称してピンチオフ部とする。当該ピンチオフ部は、出入口部２４を備えた有底状のプリフォームをブロー型内で空圧膨張させた後、凹部２５に水平方向に対向して設けられた二つの入子型を互いに近づくように前進させ、その周囲の樹脂を圧着（溶着）させることで形成される。貫通孔に位置する樹脂はブロー成形後に除去される。凸状リブ部４１はこの一連の工程で形成される凹部２５側のピンチオフ部、つまり、凹部２５の第三の面２５ｃにのみ形成される。
【００２７】
図３は、容器１１の把持部３１の拡大図（ｂ）と、第一の端点３３ａを通る中心軸Ａ１に直交する把持部３１のＤ１−Ｄ１断面（ｃ）及び第二の端点３２ａを通る中心軸Ａ１に直交する把持部３１のＥ１−Ｅ１断面（ａ）とを示している。なお、図１〜図３に示される把持部３１を通る線Ｂ１は、中心軸Ａ１と平行な仮想線である。
【００２８】
側面部２２に形成された把持部３１は、側面部２２の凹部２５の第一の面２５ａと接続された第一接続端部３２と、第一接続端部３２より底面部２３に対して近い位置で側面部２２の凹部２５の第二の面２５ｂと接続された第二接続端部３３と、第一接続端部３２と第二接続端部３３との間に配置された湾曲している把持胴部３４と、容器１１の内部と連通する中空部３５とを有している。
【００２９】
把持胴部３４は、容器１１を左側から見た時に、円弧状の第一の曲線３４ａと第一の曲線３４ａよりも容器１１の中心軸Ａ１に近い円弧状の第二の曲線３４ｂと、を規定する。側面部２２は、容器１１を左側から見た時に、第二の曲線３４ｂの底面部２３側の第一の端点３３ａから底面部２３側に伸びる円弧状の第三の曲線２２ｂと、第二の曲線３４ｂの上面部２１側の第二の端点３２ａから上面部２１側に伸びる円弧状の第四の曲線２２ａと、を規定する。第二の曲線３４ｂの曲率半径は、第三の曲線２２ｂ及び第四の曲線２２ａの曲率半径と比較して大きい。なお、本発明を特に限定するものでは無いが、本実施形態において第二の曲線３４ｂの曲率半径は、第三の曲線２２ｂ及び第四の曲線２２ａの曲率半径に対し、２倍以上大きい。容器１１を左側から見た時に、把持胴部３４及び側面部２２により規定される曲線（２２ｂ、３４ｂ、２２ａ）は、第一の端点３３ａ及び第二の端点３２ａを境に、曲率半径が大幅に変化する。また、第一の端点３３ａは、第二接続端部３３の容器１１の中心軸Ａ１に最も近い点である。第二の端点３２ａは、第一接続端部３２の容器１１の中心軸Ａ１に最も近い点である。
【００３０】
容器１１を左側から見た時に、把持胴部３４の第一の曲線３４ａは、凹部２５の第二の面２５ｂと第三の端点３３ｂで接続されている。この第三の端点３３ｂは、第一の曲線３４ａの変曲点である。第三の端点３３ｂ近くの第一の曲線３４ａの曲率中心は第一の曲線３４ａに対して中心軸Ａ１の反対側に存在し、第一の曲線３４ａに対して第三の端点３３ｂより先の曲線の曲率中心はこの曲線に対して中心軸Ａ１側に存在する。
また、容器１１を左側から見た時に、把持胴部３４の第一の曲線３４ａは、凹部２５の第一の面２５ａと第四の端点３２ｂで接続されている。この第四の端点３２ｂは、第一の曲線３４ａの変曲点である。第四の端点３２ｂ近くの第一の曲線３４ａの曲率中心は第一の曲線３４ａに対して中心軸Ａ１の反対側に存在し、第一の曲線３４ａに対して第四の端点３２ｂより先の曲線の曲率中心はこの曲線に対して中心軸Ａ１側に存在する。
【００３１】
第一接続端部３２は、容器１１を左側から見た時に、第二の端点３２ａ及び第四の端点３２ｂを通るように形成されている。また、第二接続端部３３は、容器１１を左側から見た時に、第一の端点３３ａ及び第三の端点３３ｂを通るように形成されている。
【００３２】
把持胴部３４は、容器１１を正面から見た時に、第二接続端部３３から第一接続端部３２に向けて縮径している（図２参照）。
【００３３】
図４は、中心軸Ａ１と垂直である容器１１の側面部２２及び把持部３１のＣ１−Ｃ１断面を示している。
【００３４】
第一の端点３３ａを通る中心軸Ａ１に直交する平面で切断された中空部３５の断面の面積（図３の（ｃ）参照）は、第一の端点３３ａより上方で第二の端点３２ａより下方の把持胴部３４における中心軸Ａ１に直交する平面で切断された中空部３５の断面の面積（図４参照）よりも大きい。また、第一の端点３３ａを通る中心軸Ａ１に直交する平面で切断された中空部３５の断面の面積は、第二の端点３２ａを通る中心軸Ａ１に直交する平面で切断された中空部３５の断面の面積（図３の（ａ）参照）よりも大きい。
【００３５】
従来の容器では、中空の長尺状の把手が長手方向に沿って略一定の径を有するように形成されていた。この構成の容器を反転させた状態で出入口部から底面部に向けて洗浄水等を打ち付けた場合、洗浄水の一部は底面部の内壁面を伝って落ちていくが、その洗浄水が伝わりにくい箇所、すなわち、洗浄水が届きにくく濡れにくい箇所が発生する場合があった。同様に、すすぎのためのすすぎ水が伝わりにくく、洗浄水が把手の内壁面の一部に残留してしまう場合があった。
【００３６】
しかし、本実施形態の容器１１では、第一の端点３３ａを通る中心軸Ａ１に直交する平面で切断された中空部３５の断面の面積が、把持胴部３４における中心軸Ａ１に直交する平面で切断された中空部３５の断面の面積よりも大きい。これにより、洗浄の際に容器を反転させた状態で出入口部２４から底面部２３に向けて洗浄水等を打ち付けた場合において、底面部２３の内壁面を伝って落ちていく洗浄水やすすぎ水が把持部３１の内部への入口となる第二接続端部３３に向けて案内されて、把持胴部３４の壁面で集積されやすくなる。このため、中空の把持部３１の内部において洗浄水やすすぎ水が届きにくい箇所が生じにくくなり、容器１１を洗浄しやすくなる。
【００３７】
また、本実施形態の容器１１によれば、把持胴部３４が第二接続端部３３から第一接続端部３２に向けて縮径していることにより、洗浄の際第二接続端部３３に向けて案内されて集積された洗浄水やすすぎ水が、把持胴部３４の内壁面上において圧力損失及び摩擦損失により周囲の洗浄水やすすぎ水と合流しながら伝わり落ちやすくなる。このため、把持胴部３４の内壁面上を水が広く伝わりやすくなり、さらに容器１１を洗浄しやすくなる。また、使用者が握る上面部２１側の把持部３１が楕円状の断面形状になるように縮径することで持ちやすさも向上する。
【００３８】
また、本実施形態の容器１１では、第一の端点３３ａを通る中心軸Ａ１に直交する平面で切断された中空部３５の断面の面積は、第二の端点３２ａを通る中心軸Ａ１に直交する平面で切断された中空部３５の断面の面積よりも大きい。これにより、集積された洗浄水やすすぎ水が、洗浄水やすすぎ水の出口である第一接続端部３２まで把持胴部３４の内壁面上において圧力損失及び摩擦損失により周囲の洗浄水やすすぎ水と合流しながら伝わり落ちやすくなり、さらに容器１１を洗浄しやすくなる。
【００３９】
また、本実施形態の容器１１では、凹部２５の第一の面２５ａが容器１１の中心軸Ａ１に近づくにつれて、底面部２３に近づくように傾いている。これにより、洗浄の際凹部２５の内壁面を伝って落ちていく洗浄水やすすぎ水が、凹部２５の第一の面２５ａに案内されて洗浄水やすすぎ水が届きにくい箇所が生じにくくなり、容器１１を洗浄しやすくなる。また、本実施系形態の容器１１では、凹部２５の第二の面２５ｂが容器１１の中心軸Ａ１に近づくにつれて、上面部２１に近づくように傾いている。これにより、洗浄の際底面部２３の内壁面を伝って落ちていく洗浄水やすすぎ水が、把持部３１の内部への入口となる第二接続端部３３に向けて更に案内されて集積されやすくなる。このため、中空の把持部３１の内部において洗浄水やすすぎ水が届きにくい箇所が生じにくくなり、容器１１を洗浄しやすくなる。
【００４０】
また、本実施形態の容器１１によれば、第三の面２５ｃの中央部分に、把持部３１の長手方向に沿った凸状リブ部４１が形成されていることにより、落下の際に容器１１にかかる衝撃への強度を向上させることができる。また凸状リブ部４１により第一接続端部３２及び第二接続端部３３付近の容器１１の強度も向上させることができる。
【００４１】
また、本実施形態の容器１１によれば、把持胴部３４が湾曲していることにより、洗浄の際、第二接続端部３３に向けて案内されて集積された洗浄水やすすぎ水が、更に、把持胴部３４の内壁面上において周囲の洗浄水やすすぎ水と合流して伝わり落ちやすくなる。このため、さらに容器１１を洗浄しやすくなる。また、把持部３１の持ちやすさも更に向上する。
【００４２】
また、本実施形態の容器１１では、容器１１を底面部２３を下にして水平面に設置した際の、当該水平面から上底部２６の中央までの高さｈ１は、１０ｍｍ以上５０ｍｍ以下である。高さｈ１が１０ｍｍ以上であることで、液体が充填された容器１１が落下した場合に上底部２６の下方への弾性変形により、ピンチオフ部に働く水撃作用（ウォーターハンマー）を軽減することができる。これにより、容器１１の落下耐性を向上させることができる。高さｈ１の上限は容器１１の容量、成形性の観点から５０ｍｍ以下であると好ましい。また高さｈ１は、１５ｍｍ以上４５ｍｍ以下であるとより好ましく、２０ｍｍ以上３５ｍｍ以下であると特に好ましい。
【００４３】
このように、上記実施形態によれば、把手の内部を洗浄しやすい把手付き容器１１を提供することができる。
【００４４】
（第二の実施形態）
以下、本発明に係る把手付き容器の実施の形態の別の例（第二の実施形態）を、図面を参照して説明する。
【００４５】
図５〜図８は本発明の第二の実施形態に係る把手付き容器１１１を示す図である。図５及び図６に示すように、本実施形態において把手付き容器１１１は、上面部１２１と、上面部１２１に接続された側面部１２２と、上面部１２１と反対側に配置されて側面部１２２に接続された底面部１２３と、側面部１２２に形成された中空で長尺状の把持部１３１と、を備えている。その内部には、所定量の液体（飲料水等）等の流体が収容可能とされている。
【００４６】
ここで、上面部１２１は第一の実施形態の上面部２１と同様の構成であるので、説明を省略する。
【００４７】
側面部１２２は、把手付き容器１１１の周面を形成するもので、上面部１２１に接続されて下方側へ延在されている。底面部１２３は、上底部１２６および周底部１２７を含んでいる。周底部１２７は第一の実施形態に係る周底部２７と同様の構成であるので説明を省略する。上底部１２６は、容器１１１を底面部１２３を下にして水平面に設置した際の、当該水平面から上底部１２６の中央までの高さｈ２が異なる以外は、第一の実施形態に係る上底部２６と同様の構成であるので、詳細な説明を省略する。水平面から上底部１２６の中央までの高さｈ２（上記の第一の実施形態で定義された高さｈ１と同様に定義される。）は、２０ｍｍ以上３５ｍｍ以下である。
【００４８】
本実施形態の説明においては、第一の実施形態で説明した定義と同様の定義に基づき、容器１１１を正面から見た時（図６）、および容器１１１を左側から見た時（図７）と、適宜場面について言及する。容器１１１は、容器１１１を正面から見た時（図６）、出入口部１２４を通る容器１１１の中心軸Ａ２に対して線対称になるように形成されている。
【００４９】
側面部１２２には、容器１１１の中心軸Ａ２に向かって凹んでいる凹部１２５が形成されている。凹部１２５は、上面部１２１側の第一の面１２５ａ、底面部１２３側の第二の面１２５ｂ並びに第一の面１２５ａ及び第二の面１２５ｂと連なる第三の面１２５ｃにより形成される。容器１１１を左側から見た時、凹部１２５と把持部１３１との間は貫通孔が形成されている。第一の面１２５ａおよび第二の面１２５ｂは、第三の面１２５ｃ、把持部１３１および凹部１２５以外の側面部１２２との接続箇所を除いた部分において、中心軸Ａ２に対して略直交するように形成されている。
【００５０】
容器１１１を左側から見た時に凹部１２５および把持部１３１の貫通孔を構成する部分には、当該貫通孔に沿った凸状リブ部（フィン）１４１が形成されている。第一の実施形態で説明したのと同様に、凹部１２５および把持部１３１より形成される貫通孔の外縁とそれら近辺の領域を、総称してピンチオフ部とする。当該ピンチオフ部は、第一の実施形態で説明した態様により形成される。本実施形態において、凸状リブ部１４１は一連の工程で形成される凹部１２５側および把持部１３１のピンチオフ部に形成される。
【００５１】
図７は、容器１１１の把持部１３１の拡大図（ｂ）と、第一の端点１３３ａを通る中心軸Ａ２に直交する把持部１３１のＤ２−Ｄ２断面（ｃ）及び第二の端点１３２ａを通る中心軸Ａ２に直交する把持部１３１のＥ２−Ｅ２断面（ａ）とを示している。なお、図５〜図７に示される把持部１３１を通る線Ｂ２は、中心軸Ａ２と平行な仮想線である。
【００５２】
側面部１２２に形成された把持部１３１は、側面部１２２の凹部１２５の第一の面１２５ａと接続された第一接続端部１３２と、第一接続端部１３２より底面部１２３に対して近い位置で側面部１２２の凹部１２５の第二の面１２５ｂと接続された第二接続端部１３３と、第一接続端部１３２と第二接続端部１３３との間に配置された湾曲している把持胴部１３４と、容器１１１の内部と連通する中空部１３５とを有している。
【００５３】
把持胴部１３４は、容器１１１を左側から見た時に、第一の曲線１３４ａと第二の曲線１３４ｂと、を規定する。側面部１２２は、容器１１１を左側から見た時に、第一の端点１３３ａから伸びる第三の曲線１２２ｂと、第二の端点１３２ａから伸びる第四の曲線１２２ａと、を規定する。第一の曲線１３４ａ、第二の曲線１３４ｂ、第三の曲線１２２ｂ、第四の曲線１２２ａ、第一の端点１３３ａおよび第二の端点１３２ａについては、第一実施形態で説明した第一の曲線３４ａ、第二の曲線３４ｂ、第三の曲線２２ｂ、第四の曲線２２ａ、第一の端点３３ａおよび第二の端点３２ａと同様の構成である。
【００５４】
容器１１１を左側から見た時に、把持胴部１３４の第一の曲線１３４ａは、凹部１２５の第二の面１２５ｂと第三の端点１３３ｂで接続されている。この第三の端点１３３ｂは、第一の曲線１３４ａの変曲点の近傍の点である。第三の端点１３３ｂ近くの変曲点において、第一の曲線１３４ａの曲率中心は、第一の曲線１３４ａに対して中心軸Ａ２側から中心軸Ａ２の反対側へと移動し、または第一の曲線１３４ａに対して中心軸Ａ２の反対側から中心軸Ａ２側へ移動する。
また、容器１１１を左側から見た時に、把持胴部１３４の第一の曲線１３４ａは、凹部１２５の第一の面１２５ａと第四の端点１３２ｂで接続されている。この第四の端点１３２ｂは、第一の曲線１３４ａの変曲点の近傍の点である。第四の端点１３２ｂ近くの変曲点において、第一の曲線１３４ａの曲率中心は、第一の曲線１３４ａに対して中心軸Ａ２側から中心軸Ａ２の反対側へと移動し、または第一の曲線１３４ａに対して中心軸Ａ２の反対側から中心軸Ａ２側へ移動する。
【００５５】
第一接続端部１３２は、容器１１１を左側から見た時に、第二の端点１３２ａ及び第四の端点１３２ｂを通るように形成されている。また、第二接続端部１３３は、容器１１１を左側から見た時に、第一の端点１３３ａ及び第三の端点１３３ｂを通るように形成されている。
【００５６】
把持胴部１３４は、容器１１１を正面から見た時に、第二接続端部１３３から第一接続端部１３２に向けて縮径している（図６参照）。
【００５７】
図８は、中心軸Ａ２と垂直である容器１１１の側面部１２２及び把持部１３１のＣ２−Ｃ２断面を示している。
【００５８】
第一の端点１３３ａを通る中心軸Ａ２に直交する平面で切断された中空部１３５の断面の面積（図７の（ｃ）参照）は、第一の端点１３３ａより上方で第二の端点１３２ａより下方の把持胴部１３４における中心軸Ａ２に直交する平面で切断された中空部１３５の断面の面積（図８参照）よりも大きい。また、第一の端点１３３ａを通る中心軸Ａ２に直交する平面で切断された中空部１３５の断面の面積は、第二の端点１３２ａを通る中心軸Ａ２に直交する平面で切断された中空部１３５の断面の面積（図７の（ａ）参照）よりも大きい。
【００５９】
本実施形態の容器１１１では、第一の実施形態の容器１１の同様の構成（中空部１３５の断面の面積ならびに把持胴部１３４の縮径および湾曲）を備えることにより、第一の実施形態で説明した効果と同様の効果が得られる。
【００６０】
また、本実施形態の容器１１１では、第一の面１２５ａおよび第二の面１２５ｂが、第三の面１２５ｃ、把持部１３１および凹部１２５以外の側面部１２２との接続箇所を除いた部分において、中心軸Ａ２に対して略直交するように形成されている。これにより、凹部１２５の剛性が高められている。そして凹部１２５の剛性が高められることで、液体が充填された容器１１１が落下した場合に生じ得る容器１１１の割れを好適に防止することができる。
【００６１】
また、本実施形態の容器１１では、容器１１１を左側から見た時に凹部１２５および把持部１３１の貫通孔を構成する部分に、当該貫通孔に沿った凸状リブ部（フィン）１４１が形成されている。これにより、凹部２５を含む凸状リブ部の近傍領域の剛性が高められている。そして凸状リブ部の近傍領域の剛性が高められることで、液体が充填された容器１１１が落下した場合にピンチオフ部に生じやすい割れを好適に防止することができる。
【００６２】
また、本実施形態の容器１１１では、容器１１１を底面部１２３を下にして水平面に設置した際の、当該水平面から上底部１２６の中央までの高さｈ２は、２０ｍｍ以上３５ｍｍ以下である。高さｈ２が２０ｍｍ以上であることで、液体が充填された容器１１１が落下した場合に上底部１２６の下方への弾性変形が大きくなり、ピンチオフ部に働く水撃作用（ウォーターハンマー）をさらに軽減することができる。これにより、容器１１１の落下耐性をさらに向上させることができる。高さｈ２の上限は容器１１１の容量、成形性の観点から３５ｍｍ以下であると特に好ましい。
【００６３】
このように、上記実施形態によれば、把手の内部を洗浄しやすい把手付き容器１１１を提供することができる。
【００６４】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６５】
例えば、前述の実施形態に係る容器１１、１１１において、容器１１、１１１を正面から見た時に、把持胴部３４、１３４は、第二接続端部３３、１３３から第一接続端部３２、１３２に向けて途中まで縮径し、途中から拡径していてもよい。
【００６６】
また、容器１１，１１１に収容される飲料水等の液体物の重さは約１９−２０ｋｇにも及ぶ。そのため、容器１１，１１１の特にピンチオフ部の落下耐性を高めなければならない。
また、容器１１，１１１の断面形状は円形状で、胴径は２５−３０ｃｍ（約２７ｃｍが望ましい）で、高さは４５−５５ｃｍ（約４９ｃｍが望ましい）であってもよい。
また、上底部２６，１２６の高さは胴径の５−１０％（約６％が望ましい）に設定すると効果が高い。
【００６７】
本願は、２０１７年５月１０日付で出願された日本国特許出願（２０１７−０９３９０９）に基づいており、その全体が引用により援用される。また、ここに引用されるすべての参照は全体として取り込まれる。
【符号の説明】
【００６８】
１１，１１１：把手付き容器、２１，１２１：上面部、２２，１２２：側面部、２２ａ，１２２ａ：第四の曲線、２２ｂ，１２２ｂ：第三の曲線、２３，１２３：底面部、２４，１２４：出入口部、２５，１２５：凹部、２５ａ，１２５ａ：第一の面、２５ｂ，１２５ｂ：第二の面、２５ｃ，１２５ｃ：第三の面、２６，１２６：上底部、２７，１２７：周底部、２８：張出部、３１、１３１：把持部、３２，１３２：第一接続端部、３２ａ，１３２ａ：第二の端点、３２ｂ，１３２ｂ：第四の端点、３３，１３３：第二接続端部、３３ａ，１３３ａ：第一の端点、３３ｂ，１３３ｂ：第三の端点、３４，１３４：把持胴部、３４ａ，１３４ａ：第一の曲線、３４ｂ，１３４ｂ：第二の曲線、３５，１３５：中空部、４１，１４１：凸状リブ部、Ａ１，Ａ２：把手付き容器の中心軸、Ｂ１，Ｂ２：中心軸Ａ１，Ａ２に平行な仮想線
【図１】
2018207844.tif 000003
【図２】
2018207844.tif 000004
【図３】
2018207844.tif 000005
【図４】
2018207844.tif 000006
【図５】
2018207844.tif 000007
【図６】
2018207844.tif 000008
【図７】
2018207844.tif 000009
【図８】
2018207844.tif 000010
【国際調査報告】
2018207844.tif 000011
2018207844.tif 000012
2018207844.tif 000013